(57)【要約】【課題】  収容が許容される高さの異なるボトルの何れにおいても確実に保護することができ、しかも、ボトルのサイズに応じて伸縮を容易に行うことのできるカバー本体を備えたボトルホルダーを提供する。【解決手段】  ボトルを収容する有底筒状のカバー本体を備えたボトルホルダーであって、カバー本体は、有底筒状の底筒体と、底筒体に嵌め合わされた筒状体と、底筒体と筒状体とを接続した折り曲げ自在な接続体とを備え、底筒体及び筒状体は軸心方向に相対移動可能に構成され、接続体は、カバー本体を伸長状態にした際に、底筒体から筒状体が離脱するのを規制し、カバー本体を短縮状態にする際に、折れ曲がることで底筒体と筒状体との相対移動を許容可能に設けられ、カバー本体は短縮状態になった際に、筒状体又は底筒体の何れか一方と接続体とを連結する連結手段を備えてなる。【選択図】    図１
2005095249.tif 000002
【特許請求の範囲】
【請求項１】
高さの異なるボトルを収容できるように、軸心方向に伸縮可能に構成された有底筒状のカバー本体を備えたボトルホルダーであって、カバー本体は、有底筒状の底筒体と、底筒体に対して略同心で嵌め合わされた両端開口状態の筒状体と、底筒体と筒状体とを接続した折り曲げ自在な接続体とで構成され、底筒体及び筒状体は、該カバー本体を伸縮可能とすべく、軸心方向に相対移動可能に構成され、接続体は、カバー本体を伸長状態にした際に、底筒体から筒状体が離脱するのを規制する一方、カバー本体を短縮状態にする際に、折れ曲がることで底筒体と筒状体との相対移動を許容可能に設けられ、更に、カバー本体は、短縮状態になった際に、筒状体又は底筒体の何れか一方と接続体とを連結する連結手段を備えたことを特徴とするボトルホルダー。
【請求項２】
前記連結手段は、雄雌一対の面ファスナーで構成され、一方の面ファスナーが、前記筒状体又は底筒体の何れか一方に取り付けられるとともに、他方の面ファスナーが接続体に取り付けられてなる請求項１記載のボトルホルダー。
【請求項３】
前記筒状体は、底筒体に外嵌され、前記接続体は、筒状に形成され、前記筒状体に略同心で内挿された状態で一端開口縁部が底筒体の開口縁部に接続されるとともに、他端開口縁部が筒状体の上端開口縁部に接続されてなる請求項１又は２記載のボトルホルダー。
【発明の詳細な説明】
【技術分野】
【０００１】
本発明は、ペットボトルや、缶ボトル等のボトルを収容するカバー本体を備えたボトルホルダーに関し、特には、高さの異なる複数種類のボトルを収容可能なカバー本体を備えたボトルホルダーに関するものである。
【背景技術】
【０００２】
従来から、飲料等の内容物の入れられたペットボトルや缶ボトル等のボトルを収容し、ボトルを破損から保護したり、内容物を保冷や保温したりする有底筒状のカバー本体を備えたボトルホルダーが提供されている。
【０００３】
ところで、近年においてボトルは、種々サイズのものが流通している。そのため、消費者が各ボトルのサイズに対応したカバー本体を備えたボトルホルダーを所有しなければならいといった不便さから、カバー本体を軸心方向に伸縮可能に構成し、高さの異なる複数種類（例えば、二種類）のボトルを収容できるようにしたボトルホルダーが提供されつつある。
【０００４】
該ボトルホルダーとしては、カバー本体が、貫通した筒状の主収容部と、皿状に形成された支持部と、主収容部と支持部とを接続する折り畳み可能な筒状の補助収容部と、該補助収容部が折り畳まれて収容された状態で、主収容部と支持部とを連結する保持部（例えば、ファスナーや面ファスナー等）とで構成され、主収容部と支持部との連結を解除することで、補助収容部が延びてカバー本体が伸長状態になり、例えば、５００ｍｌのペットボトルを収容できるようになる一方で、主収容部と支持部とを接近方向に相対移動させて補助収容部を折り畳み収容状態にし、主収容部と支持部とを保持部で連結することで、カバー本体が短縮状態になり、例えば、５００ｍｌのペットボトルと外径が略同一で高さの異なる３００ｍｌのペットボトルを収容できるようになったものである。
【０００５】
また、前記主収容部及び支持部とともに、補助収容部を被覆する筒状のカバー部が支持部の外周縁から延出したものがある。かかるカバー本体は、主収容部と支持部とを直接連結する保持部に代えて、カバー部と主収容部とを連結する面ファスナーが設けられており、支持部から下方に向けて延出するようにカバー部を裏返すことで、補助収容部を折り畳んだり、広げたり（延ばしたり）できるようになっている。（例えば、特許文献１参照）。
【特許文献１】実用新案登録第３０８４３７５号
【発明の開示】
【発明が解決しようとする課題】
【０００６】
ところで、上述の如く、カバー本体が保持部によって主収容部と支持部とを直接連結するように構成されたボトルホルダーは、カバー本体を伸長状態にしてボトルを収容した際に、ボトルの胴部が主収容部及び補助収容部で保護されることになるが、前記補助収容部は、折り畳み可能にすべく、非常に薄い生地等で構成されているため、該補助収容部に収容されたボトルの胴部を十分に保護することができない。また、主収容部及び支持部を保温性や保冷性に優れた断熱素材で構成しても、前記補助収容部が非常に薄い生地等で構成されているため、カバー本体を伸長状態にしてボトルを収容すると、該ボトル（内容物）の十分な保温や保冷を達成することができなかった。
【０００７】
また、カバー本体にカバー部が設けられたボトルホルダーは、カバー本体を伸縮させるに際し、補助収容部を折り畳んだり、広げたりしなければならず、カバー部を一旦裏返して補助収容部を操作できる状態にしなければならない。そうすると、カバー部を折り曲げ可能な薄い生地で構成しなければならず、当該ボトルホルダーでは、カバー部で補助収容部を覆うことができてもボトルに対する保護に限界がある。
【０００８】
その上、カバー部は、主収容部、支持部、及び補助収容部を被服するように構成されているため、補助収容部を折り畳んだり、広げたりするに際し、カバー部を裏返しにくく、カバー本体を伸縮させる作業が繁雑であった。
【０００９】
そこで、本発明は、斯かる実情に鑑み、収容が許容される高さの異なるボトルの何れにおいても確実に保護することができ、しかも、ボトルのサイズに応じて伸縮を容易に行うことのできるカバー本体を備えたボトルホルダーを提供することを課題とする。
【課題を解決するための手段】
【００１０】
本発明にかかるボトルホルダーは、上記課題を解決すべくなされたものであり、請求項１記載の如く、高さの異なるボトルを収容できるように、軸心方向に伸縮可能に構成された有底筒状のカバー本体を備えたボトルホルダーであって、カバー本体は、有底筒状の底筒体と、底筒体に対して略同心で嵌め合わされた両端開口状態の筒状体と、底筒体と筒状体とを接続した折り曲げ自在な接続体とで構成され、底筒体及び筒状体は、該カバー本体を伸縮可能とすべく、軸心方向に相対移動可能に構成され、接続体は、カバー本体を伸長状態にした際に、底筒体から筒状体が離脱するのを規制する一方、カバー本体を短縮状態にする際に、折れ曲がることで底筒体と筒状体との相対移動を許容可能に設けられ、更に、カバー本体は、短縮状態になった際に、筒状体又は底筒体の何れか一方と接続体とを連結する連結手段を備えたことを特徴とする。
【００１１】
上記構成のボトルホルダーによれば、カバー本体が、有底筒状の底筒体と、底筒体に対して略同心で嵌め合わされた両端開口状態の筒状体と、底筒体と筒状体とを接続した折り曲げ自在な接続体とで構成され、該カバー本体を伸縮可能とすべく、底筒体及び筒状体が軸心方向に相対移動可能に構成されているので、底筒体と筒状体とを接離方向で相対的に移動させることで、ボトルのサイズに応じてカバー本体を伸縮させることができる。
【００１２】
また、接続体が、カバー本体を伸長状態にした際に、底筒体から筒状体が離脱するのを規制するように構成されているので、底筒体及び筒状体を離間方向に相対移動させても、底筒体と筒状体との嵌め合わせ状態が維持されることになる。したがって、伸長状態のカバー本体にボトルを収容しても、当該ボトルは、底筒体及び筒状体によって保護された状態となる。
【００１３】
その一方で、接続体は、カバー本体を短縮状態にする際に、折れ曲がることで底筒体と筒状体との相対移動が許容されるように構成されているので、接続体の存在により底筒体と筒状体との相対移動が阻害されることがなく、伸長状態のカバー本体を円滑に短縮状態にすることができる。
【００１４】
また、カバー本体を短縮状態から伸長状態にする場合も、接続体は、底筒体からの筒状体の離脱を規制するまでは、折れ曲がることで底筒体と筒状体との相対移動を許容することになるので、底筒体と筒状体とを軸心方向で相対移動させてカバー本体を円滑に伸縮させることができる。
【００１５】
また、カバー本体は、短縮状態になった際に、筒状体又は底筒体の何れか一方と接続体とを連結する連結手段を備えているので、カバー本体が短縮状態になった状態で、連結手段により筒状体又は底筒体の何れか一方と接続体とを連結すれば、筒状体又は底筒体の何れか一方に対する接続体の相対的な姿勢が維持されることになり、底筒体と筒状体との軸心方向で相対移動が規制され、カバー本体の短縮状態を維持させることができる。すなわち、連結手段によって筒状体又は底筒体の何れか一方と接続体とを連結することにより、カバー本体が短縮状態で接続体が折れ曲がり状態にある場合には、接続体の折れ曲がり位置の変位を規制し、その状態で接続体の姿勢を維持させることができ、また、カバー本体が短縮状態で接続体が延びた状態である場合には、接続体の折れ曲がりを防止し、その状態で接続体の姿勢を維持させることができる。これにより、底筒体と筒状体との相対位置を一定位置で維持させることができ、軸心方向の高さが低いボトルを安定した状態で収容することができる。
【００１６】
また、請求項２記載の如く、前記連結手段は、雄雌一対の面ファスナーで構成され、一方の面ファスナーが、前記筒状体又は底筒体の何れか一方に取り付けられるとともに、他方の面ファスナーが接続体に取り付けられることが好ましい。このようにすれば、容易に且つ確実に筒状体又は底筒体の何れか一方と接続体とを連結することができる。
【００１７】
さらに、請求項３記載の如く、前記筒状体は、底筒体に外嵌され、前記接続体は、筒状に形成され、前記筒状体に略同心で内挿された状態で一端開口縁部が底筒体の開口縁部に接続されるとともに、他端開口縁部が筒状体の上端開口縁部に接続されることが好ましい。このようにすれば、底筒部と筒状部との間に開放された部分が形成されず、外気の流通が阻止され、当該カバー本体を保冷性、保温性に優れたものにすることができる。
【発明の効果】
【００１８】
以上のように、本発明にかかるボトルホルダーは、高さの異なるボトルを収容できるように、軸心方向に伸縮可能に構成された有底筒状のカバー本体を備えたボトルホルダーであって、カバー本体は、有底筒状の底筒体と、底筒体に対して略同心で嵌め合わされた両端開口状態の筒状体と、底筒体と筒状体とを接続した折り曲げ自在な接続体とで構成され、底筒体及び筒状体は、該カバー本体を伸縮可能とすべく、軸心方向に相対移動可能に構成され、接続体は、カバー本体を伸長状態にした際に、底筒体から筒状体が離脱するのを規制する一方、カバー本体を短縮状態にする際に、折れ曲がることで底筒体と筒状体との相対移動を許容可能に設けられ、更に、カバー本体は、短縮状態になった際に、筒状体又は底筒体の何れか一方と接続体とを連結する連結手段を備えているので、当該ボトルホルダーのカバー本体は、収容が許容される高さの異なるボトルの何れにおいても確実に保護することができ、しかも、ボトルのサイズに応じて容易に伸縮させることができる。
【発明を実施するための最良の形態】
【００１９】
以下、本発明の一実施形態にかかるボトルホルダーについて、添付図面を参酌しつつ説明する。なお、本実施形態において、胴部の外径が略同一で高さが異なる二種類のボトル（本実施形態においては、３００ｍｌのボトルと、５００ｍｌのボトル）を収容することができるカバー本体を備えたボトルホルダーについて説明する。
【００２０】
本実施形態にかかるボトルホルダーは、図１に示す如く、有底筒状の前記カバー本体１と、カバー本体１に取り付けられたショルダーベルト２とで構成されている。
【００２１】
前記カバー本体１は、軸心方向に伸縮可能に構成されており、有底筒状の底筒体１０と、底筒体１０に対して軸心方向に相対移動可能に嵌め合わされた両端が開口した（貫通した）筒状体１１と、底筒体１０と筒状体１１とを接続する折り曲げ自在な接続体１２とで構成されている
【００２２】
前記底筒体１０は、円筒状の胴部１００と、該胴部１００の一端開口を閉塞する底部１０１とで構成されており、前記胴部１００及び底部１０１は、断熱生地により縫製されたものである。ここで断熱生地とは、保温性、保冷性の優れた生地をいう。具体的に説明すると、本実施形態において採用された断熱生地は、底筒体１０の外面を形成する化粧生地層（図示しない）と、内面を形成する断熱生地層（図示しない）と、化粧生地層と断熱生地層との間に介装されたクッション生地層（図示しない）とで構成されている。
【００２３】
前記クッション生地層は、綿や不織布等で構成されて弾力性を有しており、収容したボトルを確実に保護すべく設けられている。また、クッション生地層は、綿や不織布等で構成されることで内部に微小空間が形成されて表面積が広くなっているので、保冷性や保温性を向上させるためにも設けられている。前記断熱生地層は、鏡面状態をなしており、ボトルからの熱をカバー本体１内（後述する収容スペースＡ内）で反射させて保冷性、保温性を高めるべく設けられている。なお、上記クッション生地層を設けた場合には、該クッション生地層のみでも、保温性や保冷性を担保することができるので、断熱生地層は、必要に応じて設ければよい。
【００２４】
前記筒状体１１は、底筒体１０と同様に断熱生地を略円筒状に縫製したものであり、前記底筒体１０の胴部１００に外嵌可能な内径に設定されるとともに、軸心方向の長さ（高さ）が前記底筒体１０の胴部１００の軸心方向の長さ（高さ）よりも短く設定されている。
【００２５】
該筒状体１１の一端（上端）開口縁部には、上方に向けて筒状の縮径筒部１１０が延設されている。該縮径筒部１１０は、筒状体１１を構成する断熱生地よりも薄い変形自在な布地を筒状に縫製したものであり、一端開口縁部が筒状体１１の上端開口縁部に縫い付けられて筒状体１１と連通状態をなしている。また、該縮径筒部１１０の他端縁部には、略全周に亘って挿通孔１１１が形成されている。挿通孔１１１には、巾着紐１１２が挿通されており、該巾着紐１１２を引っ張ることで縮径筒部１１０の他端開口が縮径するようになっている。
【００２６】
また、該筒状体１１の外周面には、前記ショルダーベルト２を連結する連結具１１３を一端部に備えた一対の補強帯１１４が、当該一端側を筒状体１１の一端側に位置させて軸心方向に延びるように対向状態で縫い付けられている。
【００２７】
前記接続体１２は、前記縮径筒部１１０と同様の布地（生地）により構成されており、折り曲げ自在となっている。該接続体１２は、筒状に縫製されており、一端開口縁部が底筒体１０の開口縁部に縫い付けられ、接続体１２内と底筒体１０内とが連通状態をなしている。また、該接続体１２は、前記筒状体１１内に挿通された状態で、他端開口縁部が筒状体１１の上端開口縁部に縫い付けられている。したがって、当該カバー本体１は、縮径筒部１１０、筒状体１１、接続体１２、及び底筒体１０の内部が連通状態をなしており、これらで形成されたカバー本体１内にボトルを収容する円柱状の前記収容スペースＡが形成されている。
【００２８】
また、前記接続体１２は、軸心方向の長さが前記筒状体１１の軸心方向の長さと略同等に設定されており、筒状体１１を底筒体１０に対して離間方向（筒状体１１の一端が底筒体１０の開口端から離間し、筒状体１１と底筒体１０の胴部１００との重なり量が少なくなる方向）に移動させた際に、筒状体１１の他端部（下端部）と底筒体１０の開口端縁部（上端部）とが嵌合した状態で維持できるようになっている。つまり、接続体１２は、底筒体１０と筒状体１１とを互いが離間する方向に相対移動させた際に、筒状体１１が底筒体１０から離脱するのを規制できるように寸法設定されている。
【００２９】
また、該接続体１２は、底筒体１０と筒状体１１とを互いが接近する方向（筒状体１１の一端が底筒体１０の開口端に接近し、筒状体１１と底筒体１０の胴部１００との重なり量が多くなる方向）に相対移動させるに際し、折れ曲がりにより当該相対移動を許容できるようになっている。つまり、接続体１２は、底筒体１０と筒状体１１とを接近方向に相対移動させてカバー本体１を短縮状態にする際に、底筒体１０と筒状体１１との相対位置に対応して折り曲げ位置（折り曲げ頂部）が随時変位することで、底筒体１０と筒状体１１との相対移動を阻害しないように構成されている。
【００３０】
さらに、当該カバー本体１は、伸長状態から短縮状態になった際に、前記接続体１２と底筒体１０とを連結し、接続体１２の姿勢を維持させる連結手段１１５を備えており、該連結手段１１５は、接続体１２を底筒体１０と筒状体１１との相対移動を規制することのできる姿勢で維持させるように、前記接続体１２と底筒体１０とを連結可能に配設されている。
【００３１】
本実施形態において、連結手段１１５は、雄雌一対の面ファスナー１１５ａ、１１５ｂが採用されており、該一対の面ファスナー１１５ａ、１１５ｂのうちの、折れ曲がりにくい雄側の面ファスナー１１５ａは、接続体１２の内周面に縫い付けられている。具体的には、雄側の面ファスナー１１５ａは、前記接続体１２の軸心方向における約半分の位置より底筒体１０側（一端側）に位置し、且つ接続体１２の周方向に長手を位置させた状態で、接続体１２の内周面に縫い付けられている。
【００３２】
一方、雌側の面ファスナー１１５ｂは、底筒体１０の胴部１００の内周面に縫い付けられており、底筒体１０の開口端縁を支点にして前記接続体１２を底筒体１０の胴部１００の内周面側に折り曲げた際に、接続体１２に縫い付けられた雄側の面ファスナー１１５ａと対向するように配設されている。
【００３３】
該雄雌一対の面ファスナー１１５ａ、１１５ｂは二組設けられており、当該カバー本体１の軸心を挟んで、雄側の面ファスナー１１５ａ同士、及び雌側の面ファスナー１１５ｂ同士が対向するように設けられている。
【００３４】
前記ショルダーベルト２は、長さ調節可能に構成されており、両端部が前記連結具１１３のそれぞれに着脱可能に連結されている。
【００３５】
以上構成のボトルホルダーのカバー本体１に５００ｍｌのボトルを収容する場合、まず、底筒体１０と筒状体１１とを軸心方向で互いが離間する方向に相対移動させ、カバー本体１を伸長状態にする。この状態で、接続体１２は、筒状体１１の内周面に略沿って延び、筒状体１１が底筒体１０の胴部１００から離脱するのが防止された状態となる。つまり、図２（イ）に示す如く、カバー本体１が伸長状態となった際に、接続体１２が底筒体１０と筒状体１１との間から外部に露呈することのないように、筒状体１１の他端開口縁部と底筒体１０の開口端部との嵌合状態が維持され、筒状体１１（接続体１２）と底筒体１０の胴部１００とが連通して前記収容スペースＡが形成された状態となる。
【００３６】
そして、縮径筒部１１０の他端開口を介して筒状体１１、及び底筒体１０内（収容スペースＡ）にボトルＢを挿入し、巾着紐１１２を引くことで、縮径筒部１１０の他端開口側が縮径し、ボトルＢの口部の付け根近傍（ボトルＢの片部）が縮径筒部１１０に覆われた状態となって、該ボトルＢは、図３に示す如く、抜け落ちが完全に防止されてカバー本体１に収容されることになる。
【００３７】
該ボトルホルダーのカバー本体１に３００ｍｌのボトルＢを収容する場合、図２（ロ）に示す如く、伸長状態にあるカバー本体１の底筒体１０と筒状体１１とを軸心方向で互いが接近する方向に相対移動させる。そうすると、この底筒体１０と筒状体１１との相対移動により、接続体１２と筒状体１１との接続位置と、接続体１２と底筒体１０との接続位置との相対位置が変位し、これに対応するように、接続体１２が折れ曲がることになる。この際、底筒体１０と筒状体１１との重なり量が次第に大きくなり、接続体１２は折れ曲がり位置を変位させつつ筒状体１１の一端開口縁から上方（外部）に向けて延出することになる。
【００３８】
そして、接続体１２が略二つ折りになった状態、すなわち、底筒体１０の開口端縁と筒状体１１の他端開口端縁とが略一致した状態で底筒体１０と筒状体１１との相対移動を停止し、３００ｍｌのボトルを縮径筒部１１０の他端開口を介して筒状体１１及び底筒体１０内（収容スペースＡ）に挿入する。
【００３９】
そうすると、図２（ハ）に示す如く、ボトルＢの底によって二つ折りになった接続体１２の折り曲げ頂部、又はその近傍が底筒体１０の内側に向けて押し込まれ、該接続体１２が底筒体１０の開口端縁を支点にして胴部１００の内側に折り返されることになる。そうすると、接続体１２の雄側の面ファスナー１１５ａと、底筒体１０の雌側の面ファスナー１１５ｂとが対向状態となるので、筒状体１１を把持して筒状体１１及び底筒体１０とを押圧することで、収容スペースＡ内のボトルＢの胴部１００の存在により、一対の面ファスナー１１５ａ、１１５ｂが連結状態となり、面ファスナー１１５ａ，１１５ｂを介して接続体１２と底筒体１０の胴部１００とが連結されることになる。なお、ボトルＢを挿入する前に二つ折り状態の接続体１２を胴部１００内に手で折り返し、その後にボトルＢを挿入するようにしても勿論よい。
【００４０】
そうすると、連結手段１１５（雄雌一対の面ファスナー１１５ａ，１１５ｂ）の連結によって、胴部１００内に折り返された接続体１２が底筒体１０の胴部１００の内周面に沿った姿勢で維持され、接続体１２の折れ曲がり位置が変位するのが規制された状態となり、底筒体１０と筒状体１１との相対位置が一定位置に保持されることになり、該カバー本体１が短縮状態で維持されることになる。
【００４１】
そして、巾着紐１１２を引くことで、縮径筒部１１０の他端開口側が縮径し、ボトルＢの口部の付け根近傍（ボトルＢの片部）が縮径筒部１１０に覆われた状態となって、該ボトルＢは、図４に示す如く、抜け落ちが完全に防止されてカバー本体１に収容されることになる。
【００４２】
以上のように、上記構成のボトルホルダーによれば、カバー本体１が有底筒状の底筒体１０と、底筒体１０に対して略同心で嵌め合わされた両端開口状態の筒状体１１と、底筒体１０と筒状体１１とを接続した折り曲げ自在な接続体１２とで構成され、しかも底筒体１０及び筒状体１１が軸心方向に相対移動可能に構成されているので、底筒体１０と筒状体１１とを軸心方向で相対移動させることで、ボトルＢのサイズに応じてカバー本体１を伸縮させることができる。
【００４３】
また、接続体１２が、カバー本体１を伸長状態にした際に、底筒体１０から筒状体１１が離脱するのを規制するように寸法設定されているので、カバー本体１を伸縮させても常に底筒体１０と筒状体１１との嵌め合わせ状態が維持され、サイズの異なるボトルＢの何れを収容しても、当該ボトルＢを底筒体１０及び筒状体１１によって保護した状態にすることができる。また、底筒体１０及び筒状体１１の何れもが断熱生地により構成されているので、何れのボトルＢであっても同様の保冷性、保温性を担保することができる。
【００４４】
さらに、接続体１２は、底筒体１０と筒状体１１とを相対移動させてカバー本体１を短縮状態にする際に、底筒体１０と筒状体１１との相対位置に対応するように、折れ曲がり位置を変位させながら折れ曲がることで底筒体１０と筒状体１１との相対移動を許容するように構成されているので、底筒体１０と筒状体１１との相対移動が接続体１２の存在により阻害されることがなく、伸長状態のカバー本体１を円滑に短縮状態にすることができる。
【００４５】
また、カバー本体１を短縮状態から伸長状態にする場合も、接続体１２は、底筒体１０から筒状体１１が離脱するのを規制するまでは、折れ曲がることで底筒体１０と筒状体１１との相対移動が許容されることになるので、底筒体１０と筒状体１１とを軸心方向で相対移動させてカバー本体１を円滑に伸長状態にすることができる。
【００４６】
また、カバー本体１は、短縮状態になった際に、底筒体１０と接続体１２とを連結して該接続体１２の姿勢を維持させる一対の面ファスナー１１５ａ、１１５ｂを備えているので、底筒体１０と筒状体１１とが離間方向に相対移動しようとしても、底筒体１０と筒状体１１とを接続した接続体１２の姿勢が維持され、カバー本体１を短縮状態で維持させることができる。すなわち、連結手段１１５によって接続体１２の姿勢が維持されることにより、接続体１２の折れ曲がり位置が変位するのを規制して底筒体１０と筒状体１１との相対位置を略一定位置で維持させることができ、軸心方向の高さが低い３００ｍｌのボトルＢを安定した状態で収容することができる。
【００４７】
また、前記接続体１２は、一端開口縁部が底筒体１０の開口縁部に接続され、他端開口縁部が筒状体１１の上端開口縁部に接続され、底筒体１０と筒状体１１とを接近方向に相対移動させてカバー本体１を短縮状態にした際に、略二つ折り状態となるように構成されているので、短縮状態のカバー本体１にボトルＢを挿入するだけで、接続体１２が底筒体１０内に折り返すことができ、カバー本体１を伸縮操作の作業性に富むものにすることができる。
【００４８】
さらに、接続体１２と底筒体１０とを連結して接続体１２の姿勢を維持させる連結手段１１５として雄雌一対の面ファスナー１１５ａ、１１５ｂを採用したので、接続体１２と底筒体１０との連結を容易に行うことができる。
【００４９】
尚、本発明のボトルホルダーは、上記実施形態に限定されるものではなく、本発明の要旨を逸脱しない範囲内において種々変更を加え得ることは勿論である。
【００５０】
上記実施形態において、前記接続体１２の一端開口縁部を底筒体１０の開口縁部に接続するとともに、該接続体１２の他端開口縁部を筒状体１１の一端開口縁部に接続したが、これに限定されるものではなく、例えば、接続体１２を底筒体１０に外嵌し、該接続体１２の一端開口縁部を底筒体１０の胴部１００の外周面に接続し（縫い付け）、この状態の接続体１２に筒状体１１を外嵌して当該筒状体１１の一端開口縁部、或いは内周面に接続体１２の他端開口縁部を接続する（縫い付ける）ようにしたり、接続体１２を底筒体１０に略同心で内嵌し、該接続体１２の一端開口縁部を底筒体１０の胴部１００の内周面に接続し（縫い付け）、筒状体１１の一端開口縁部、或いは内周面に接続体１２の他端開口縁部を接続する（縫い付ける）ようにしたりしてもよい。この場合においても、上記実施形態と同様に、接続体１２は、カバー本体１を伸長状態にした際に、底筒体１０から筒状体１１が離脱するのを規制し、カバー本体１を短縮状態にする際に、折れ曲がることで底筒体１０と筒状体１１との相対移動を許容できるようにすることは勿論のことである。
【００５１】
また、上記実施形態において、接続体１２を筒状に形成したが、これに限定されるものではなく、接続体１２は、例えば、折れ曲がり自在な帯体、或いは紐体等で構成してもよく、このような接続体１２を採用した場合には、接続体１２の一端を底筒体１０に接続し、他端を筒状体１１に接続すればよい。
【００５２】
上記実施形態において、筒状体１１及び底筒体１０を断熱生地を縫製することで形成するようにしたが、これに限定されるものではなく、筒状体１１及び底筒体１０は、例えば、ボトルＢを保護することのできる厚手の生地で縫製したものや、樹脂成形したもの等であってもよい。この場合、保温性や保冷性を担保すべく、内周面に断熱効果を有する断熱層（上記実施形態にかかる断熱生地層に相当）を形成することが好ましい。
【００５３】
上記実施形態において、連結手段１１５として雄雌一対の面ファスナー１１５ａ、１１５ｂを採用したが、これに限定されるものではなく、例えば、雄雌一対のボタンホック等であってもよい。
【００５４】
上記実施形態において、筒状体１１の一端開口縁部に縮径筒部１１０を設けたが、これに限定されるものではなく、当該縮径筒部１１０は、必要に応じて設ければよい。ただし、カバー本体１からのボトルＢの離脱防止や、保温性、保冷性を担保するには、縮径筒部１１０を設けることが好ましい。
【００５５】
上記実施形態において、カバー本体１を短縮状態にした際に、接続体１２が二つ折り状態になるように構成し、該二つ折り状態の接続体１２を底筒体１０の内側に折り返して面ファスナー１１５ａ，１１５ｂで接続体１２と、底筒体１０の胴部１００とを連結するように構成したが、これに限定されるものではなく、例えば、接続体１２の他端開口縁部を筒状体１１の他端開口縁部よりも一端側に位置する内周面に接続するとともに、一対の面ファスナー１１５ａ、１１５ｂのうちの一方を、筒状体１１における接続体１２との接合位置よりも他端側の内周面に縫い付け、他方の面ファスナーを接続体１２の内周面であって、接続体１２の軸心方向の約半分の位置よりも他端側に縫い付け、カバー本体１を短縮状態にした際に、二つ折り状態となった接続体１２を折り返すことなく、面ファスナー１１５ａ，１１５ｂを介して筒状体１１に連結するようにしてもよい。このようにしても、接続体１２の姿勢が維持（折り曲げ頂部の変位が規制）された状態となり、該カバー本体１を短縮状態で維持させることができる。
【００５６】
また、上記実施形態において、カバー本体１を短縮状態にした際に、接続体１２が二つ折り状態になるように構成したが、これに限定されるものではなく、例えば、カバー本体１を短縮状態にすべく、筒状体１１と底筒体１０とを接近方向に相対移動させた際に、接続体１２の軸心方向の両端同士が接近した後に離間し、カバー本体１が短縮状態になった際に、接続体１２の他端が一端よりも底筒体１０の底側に位置して当該接続体１２が延びた状態になるようにしてもよい。この場合、連結手段１１５は、接続体１２の他端側が底筒体１０の開口端（接続体１２の一端）側に折り返らないように（筒状体１１と底筒体１０との相対移動を規制できるように）、筒状体１１又は底筒体１０の何れか一方と、接続体１２とを連結できるように設け、該接続体１２の姿勢を維持させるようすればよい。
【００５７】
上記実施形態において、接続体１２に雄側の面ファスナー１１５ａを取り付け、底筒体１０に雌側の面ファスナー１１５ｂを取り付けたが、これに限定されるものではなく、雄雌一対の面ファスナー１１５ａ，１１５ｂは、雄雌関係なく接続体１２と底筒体１０とを連結できるように設ければよい。
【００５８】
上記実施形態にかかるボトルホルダーを、カバー本体１と、ショルダーベルト２とで構成したが、これに限定されるものではなく、例えば、ショルダーベルト２に代えて、吊り下げ用のストラップを設けるようにしてもよい。この場合においても、ストラップを着脱可能にすることが好ましい。また、ショルダーベルト２やストラップを設けることなくカバー本体１のみでボトルホルダーを構成してもよい。
【００５９】
上記実施形態において、底筒体１０の胴部１００に筒状体１１を外嵌するようにしたが、これに限定されるものではなく、底筒体１０の胴部１００に筒状体１１を軸心方向に移動可能に内嵌するようにしてもよい。この場合においても、接続体１２は、カバー本体１を伸長状態にした際に、底筒体１０から筒状体１１が離脱するのを規制し、カバー本体１を短縮状態にする際に、折れ曲がることで底筒体１０と筒状体１１との相対移動を許容できるように構成することは勿論のことである。
【００６０】
また、筒状体１１は、軸心方向に伸縮できるように構成してもよい。このようにする場合、例えば、筒状体１１を少なくとも二つ以上の筒体で構成し、各筒体の周壁が軸心と直交する方向で積層状態となるように、各筒体を、軸心方向に相対移動可能に嵌め合わすとともに、折り曲げ自在な補助接続体で接続するようにしてもよい。そして、補助接続体は、筒状体１１を伸長状態にした際に、筒体同士の離脱を規制する一方、筒状体１１を短縮状態にする際の筒体同士の相対移動を折れ曲がりにより許容するようにし、筒状体１１が短縮状態になった際に、補助接続体と該補助接続体に接続された何れか一方の筒体とを連結し、補助接続体の姿勢を維持させる補助連結手段を設けるようにしてもよい。つまり、筒状体１１を複数の筒体で構成し、上記実施形態における底筒体１０と筒状体１１とを接続する接続体１２と同様の作用を奏するように、前記複数の筒体を補助接続体で接続するとともに、上記実施形態における面ファスナー１１５ａ，１１５ｂと同様に補助接続体と筒体とを連結する雄雌一対の面ファスナーやホックボタン等の補助連結手段を設けるようにしてもよい。このようにすれば、カバー本体１を軸心方向に多段的に伸縮させることができ、高さの異なる複数種類のボトルを収容することができる。
【図面の簡単な説明】
【００６１】
【図１】本発明の一実施形態にかかるボトルホルダーであって、カバー本体の一部破断を含む全体斜視図を示す。
【図２】同実施形態にかかる伸長状態のカバー本体を短縮状態にする際の状態図であって、（イ）は、伸長状態のカバー本体を示し、（ロ）は、筒状体と底筒体を互いに接近する方向に相対移動させた状態を示し、（ハ）は、カバー本体が短縮状態になった状態を示す。
【図３】同実施形態にかかるカバー本体を伸長状態にしたボトルホルダーの全体斜視図を示す。
【図４】同実施形態にかかるカバー本体を短縮状態にしたボトルホルダーの全体斜視図を示す。
【符号の説明】
【００６２】
１…カバー本体、２…ショルダーベルト、１０…底筒体、１１…筒状体、１２…接続体、１００…胴部、１０１…底部、１１０…縮径筒部、１１１…挿通孔、１１２…巾着紐、１１３…連結具、１１４…補強帯、１１５…連結手段、１１５ａ…面ファスナー（雄）、１１５ｂ…面ファスナー（雌）、Ａ…収容スペース、Ｂ…ボトル
【図１】
2005095249.tif 000003
【図２】
2005095249.tif 000004
【図３】
2005095249.tif 000005
【図４】
2005095249.tif 000006